(57)【要約】【課題】簡単に、かつ確実に２液を混合させて化学発光させることができることで、長時間発光させたり、外側容器の形状について設計の自由度を広げたりすることができる化学発光具およびその発光方法を提供する。【解決手段】化学発光具１は、透光性を有する硬質樹脂製の外側容器２０と、第１の液剤が封入された破割性を有する内側容器３０と、外側容器２０と内側容器３０との間に配置された球状に形成された衝撃伝達部材４０とを備えている。第１の液剤と混合することで化学発光する第２の液剤が外側容器２０と内側容器３０との間に封入されている。衝撃伝達部材４０に対応する外側容器２０の位置に衝撃力を付与すると、内部容器３０がヘルス破壊して第１の液剤が外側容器２０内に流れ、第２の液剤と混合する。外側容器２０を折り曲げる必要がないため、外側容器２０を任意の形状にすることができる。【選択図】図１
2013030435.tif 000002
【特許請求の範囲】
【請求項１】
第１の液剤が封入された破割性を有する内側容器と、
前記内側容器を収納すると共に、前記第１の液剤と混合すると化学発光する第２の液剤が前記内側容器との間に封入された透光性を有する硬質樹脂製の外側容器と、
前記外側容器と前記内側容器との間に配置され、前記外側容器に付与された衝撃力を前記内側容器へ伝達して前記内側容器をヘルツ破壊する衝撃伝達部材とを備えたことを特徴とする化学発光具。
【請求項２】
前記外側容器の外側面には、前記衝撃伝達部材が配置された位置に対応させて凸部が設けられている請求項１記載の化学発光具。
【請求項３】
前記外側容器の内側面には、前記衝撃伝達部材の移動を規制する凹部が設けられている請求項１または２記載の化学発光具。
【請求項４】
前記外側容器の内側面であって、前記衝撃伝達部材が配置された位置と反対側の内側面には、前記内側容器の端部の移動を規制する凹部が設けられている請求項１から３のいずれかの項に記載の化学発光具。
【請求項５】
前記外側容器の胴部には、蛇腹構造に形成された伸縮部が設けられている請求項１から４のいずれかの項に記載の化学発光具。
【請求項６】
前記内側容器は、前記第１液剤が充填される開口部にねじ溝が形成されたガラス容器と、前記ねじ溝に螺合するねじ山が形成され、前記開口を閉鎖する蓋部とから形成されている請求項１から５のいずれかの項に記載の化学発光具。
【請求項７】
第１の液剤が封入された破割性を有する内側容器を収納すると共に、前記第１の液剤と混合すると化学発光する第２の液剤が前記内側容器との間に封入された透光性を有する硬質樹脂製の外側容器であって、前記外側容器と前記内側容器との間に配置された衝撃伝達部材に対応する外側容器の位置に衝撃力を付与するステップと、
前記外側容器への衝撃力を前記衝撃伝達部材により伝達させて前記内側容器をヘルツ破壊により破割するステップと、
前記内側容器の破割により流出した第１の液剤を、前記内側容器と前記外側容器との間に封入された第２の液剤に混合させて化学発光させるステップとを含むことを特徴とする化学発光具の発光方法。
【発明の詳細な説明】
【技術分野】
【０００１】
本発明は、内側容器に格納された第１の液剤と、内側容器と外側容器との間に格納された第２の液剤とを混合させることで化学発光する化学発光具およびその発光方法に関するものである。
【背景技術】
【０００２】
従来の化学発光具として、内側容器に第１の液剤を封入し、この内側容器と外側容器との間に第２の液剤を入れ、細長い棒状の外側容器を折り曲げることで、内側容器を破割し、第１の液剤と第２の液剤とを混合させて化学発光させるものが知られている。この従来の化学発光具は、コンサートやお祭りの玩具、非常灯、また釣具として広く用いられている。
【０００３】
また、他の従来の化学発光具として、例えば、特許文献１に記載されたものが知られている。特許文献１に記載の化学発光法による発光素子は、シュウ酸塩溶液を格納するアルミニウムホイルの薄い膜からなるシールされた小袋であって、内側にポリオレフィンなどのポリマーが設けられた小袋で構成された第１の容器と、この第１の容器を封入し、活性化溶液を含み、シールされた半透明のポリマーの膜からなる小袋で構成された第２の容器と、使用者の手動動作によって内側の小袋（第１の容器）に穴を開けることができる球とを備えたものである。
【先行技術文献】
【特許文献】
【０００４】
【特許文献１】特表２００３−５３２２５３号公報
【発明の概要】
【発明が解決しようとする課題】
【０００５】
しかし、外側容器を折り曲げることで、内側容器を破割して、２液を混合させる従来の化学発光具では、棒状の外側容器が折り曲げ難いような太さでは、簡単に発光させることができない。また、外側容器が円盤状であれば、厚みが薄い円盤状であれば、益々折り曲げることが困難である。従って、外側容器や内側容器の太さを太くして発光させるための液剤の容量を多くし、発光時間を長くしたり、外側容器の形状を極太棒状とするだけでなく、薄い円盤状にしたりすることができない。
【０００６】
また、特許文献２に記載の化学発光法による発光素子では、外側容器と内側容器とが軟質の材質で構成されているため、球を押しながら内部の小袋に穴を開ける際に、外側容器と内側容器とが折れ曲がり操作しづらい。圧力を掛け過ぎると外側容器のシール部分から内部の液剤が漏れるおそれもある。
【０００７】
そこで本発明は、簡単に、かつ確実に２液を混合させて化学発光させることができることで、長時間発光させたり、外側容器の形状について設計の自由度を広げたりすることができる化学発光具およびその発光方法を提供することを目的とする。
【課題を解決するための手段】
【０００８】
本発明の化学発光具は、第１の液剤が封入された破割性を有する内側容器と、前記内側容器を収納すると共に、前記第１の液剤と混合すると化学発光する第２の液剤が前記内側容器との間に封入された透光性を有する硬質樹脂製の外側容器と、前記外側容器と前記内側容器との間に配置され、前記外側容器に付与された衝撃力を前記内側容器へ伝達して前記内側容器をヘルツ破壊する衝撃伝達部材とを備えたことを特徴とする。
【０００９】
また、本発明の化学発光具の発光方法は、第１の液剤が封入された破割性を有する内側容器を収納すると共に、前記第１の液剤と混合すると化学発光する第２の液剤が前記内側容器との間に封入された透光性を有する硬質樹脂製の外側容器であって、前記外側容器と前記内側容器との間に配置された衝撃伝達部材に対応する外側容器の位置に衝撃を付与するステップと、前記外側容器への衝撃力を前記衝撃伝達部材により伝達させて前記内側容器を破割するステップと、前記内側容器の破割により流出した第１の液剤を、前記内側容器と前記外側容器との間に封入された第２の液剤に混合させて化学発光させるステップとを含むことを特徴とする。
【００１０】
本発明によれば、外側容器と内側容器との間に配置された衝撃伝達部材に対応する外側容器の位置に衝撃力を付与すると、外側容器への衝撃力が衝撃伝達部材により伝達して内側容器がヘルツ破壊により破割される。この内側容器の破割により、内側容器の破割により流出した第１の液剤が、内側容器と外側容器との間に封入された第２の液剤に混合して化学発光する。ヘルツ破壊は、衝撃力を付与した内側容器の外側面から破壊するため、内側容器を破割するために外側容器が硬質樹脂製であっても外側容器を折り曲げる必要がない。従って、外側容器を折り曲げなくても外側容器の一部に衝撃力を付与するだけで内側容器を破割させることができ、２液を混合させることができるので、簡単な操作で化学発光させることができる。また、外側容器の形状と関係なく内側容器を破割できるので、外側容器を任意の形状とすることができる。
【００１１】
前記外側容器の外側面には、前記衝撃伝達部材が配置された位置に対応させて凸部が設けられているのが望ましい。外側容器の外側面に衝撃力を付与するときに、凸部に付与することで、衝撃力が凸部に集中するので、より大きな衝撃力を衝撃伝達部材へ付与することができるので、更に確実に内側容器を破割することができる。また、凸部が設けられていることで衝撃力を付与する位置を外観から確認することができる。
【００１２】
前記外側容器の内側面には、前記衝撃伝達部材の移動を規制する凹部が設けられているのが望ましい。
外側容器の内側面に設けられた凹部が衝撃伝達部材の移動を規制することにより、衝撃伝達部材が、振動か揺動などにより外側容器の内部で移動して、衝撃力が内側容器に伝達できなくなることを防止することができる。
【００１３】
前記外側容器の内側面であって、前記衝撃伝達部材が配置された位置と反対側の内側面には、前記内側容器の端部の移動を規制する凹部が設けられているのが望ましい。
外側容器の内側面に設けられた凹部が内側容器の端部の移動を規制することにより、内側容器が、振動か他の要因により内側容器の内部で移動して、衝撃伝達部材の衝撃力が内側容器に伝達できなくなることを防止することができる。
【００１４】
前記外側容器の胴部には、蛇腹構造に形成された伸縮部が設けられていると、外側容器の収納方向の奥行きより、内側容器および衝撃伝達部材の合計の長さが長くても、伸縮部が伸長することにより、外側容器に内側容器および衝撃伝達部材を収納させることができる。
【００１５】
前記内側容器は、前記第１液剤が充填される開口部にねじ溝が形成されたガラス容器と、前記ねじ溝に螺合するねじ山が形成され、前記開口を閉鎖する蓋部とから形成されているのが望ましい。そうすることで、内側容器として第１の液剤が封入された市販品をそのまま使用することができる。
【発明の効果】
【００１６】
本発明は、外側容器を折り曲げなくても外側容器の一部に衝撃力を付与するだけで内側容器を破割させることができ、２液を混合させることができるので、簡単な操作で化学発光させることができるので、簡単に、かつ確実に２液を混合させて化学発光させることができることで、長時間発光させたり、外側容器の形状について設計の自由度を広げたりすることができる。
【図面の簡単な説明】
【００１７】
【図１】本発明の実施の形態１に係る化学発光具を示す断面図である。
【図２】（Ａ）および（Ｂ）は図１に示す化学発光具の製造方法を説明するための図である。
【図３】（Ａ）および（Ｂ）は図１に示す化学発光具の使用状態を説明するための図である。
【図４】本発明の実施の形態２に係る化学発光具を示す断面図である。
【図５】本発明の実施の形態３に係る化学発光具を示す断面図である。
【図６】本発明の実施の形態６に係る化学発光具を示す断面図である。
【図７】本発明の実施の形態７に係る化学発光具を示す断面図である。
【図８】本発明の実施の形態８に係る化学発光具を示す断面図である。
【図９】本発明の実施の形態９に係る化学発光具を示す断面図である。
【図１０】本発明の実施の形態１０に係る化学発光具を示す断面図である。
【図１１】本発明の実施の形態１１に係る化学発光具を示す断面図である。
【発明を実施するための形態】
【００１８】
（実施の形態１）
本発明の実施の形態１に係る化学発光具を図面に基づいて説明する。
図１に示す化学発光具１０は、第１の液剤Ｌ１と第２の液剤Ｌ２とを混合することで化学発光させるものである。図１に示す化学発光具１０は、外側容器２０、内側容器３０と、衝撃伝達部材４０とを備えている。
外側容器２０は、両端が閉塞されることで水密性を有する略円筒状に形成された硬質樹脂製の容器である。この外側容器２０は、例えば、ＰＥ（ポリエチレン）やＰＰ（ポリプロピレン）などで形成することができる。
【００１９】
外側容器２０の外側面には、衝撃伝達部材４０が配置された位置に対応させて凸部５０が設けられている。本実施の形態では、外側容器２０の外形が略円柱状に形成されており、外側容器２０の内部の一側に衝撃伝達部材４０が、他側に内側容器３０が並べられているため、外側容器２０の底面である一端面に凸部５０が設けられている。この凸部５０は、直接衝撃が付与されるため、耐衝撃性の高い硬質体が望ましく、例えば、セラミックや金属を円盤状にしたものとすることができる。この凸部５０は、外側容器２０を成形した後に接着剤や両面を粘着面とした接着テープなどで貼り付けることができるが、硬質樹脂製の外側容器２０を成形するときに凸部５０の一部を埋め込むことで外側容器２０と一体的に形成することも可能である。
【００２０】
内側容器３０は、両端が閉塞されることで水密性を有すると共に、破割性を有する略円筒状に形成された容器である。この内側容器３０は、例えば、ガラスなどで形成することができる。
衝撃伝達部材４０は、外側容器２０と内側容器３０との間に配置された硬質体である。衝撃伝達部材４０は、硬質であれば球状、円柱状、角柱状、円錐状、角錐状などとすることができる他、内側容器３０と接する側が先鋭に形成されていれば異形状とすることもできる。衝撃伝達部材４０を円錐状または角錐状とするときには、頭頂点を内側容器３０へ向け、底面を外側容器２０に向けて配置するのが望ましい。衝撃伝達部材４０の材質としては、例えば、ガラスやセラミック、金属などとすることができる。
【００２１】
ここで、外側容器２０と内側容器３０と衝撃伝達部材４０との位置関係について説明する。外側容器２０の内部の収納方向の奥行長さは、内側容器３０と衝撃伝達部材４０との合計の長さに調整されている。このように外側容器２０と内側容器３０と衝撃伝達部材４０とが形成されていることで、衝撃伝達部材４０は、一側が外側容器２０の内側面に接した状態、または近接した状態となり、他側が内側容器３０の外側面に接した状態、または近接した状態となる。
【００２２】
ここで、化学発光具１０に封入されている第１の液剤Ｌ１と第２の液剤Ｌ２について詳細に説明する。化学発光具１０には、第１の液剤Ｌ１と第２の液剤Ｌ２とが別々に収納されている。第１の液剤Ｌ１は、内側容器３０に封入されている。第２の液剤Ｌ２は、外側容器２０と内側容器３０との間に封入されている。
【００２３】
まず、第１の液剤Ｌ１について説明する。第１の液剤Ｌ１は、過酸化水素を必須成分とした酸化剤である。この酸化液に含まれる溶媒が、フタル酸系化合物ではないことが望ましい。
第１の液剤（酸化液）に含まれる溶媒の具体的例としては、クエン酸トリエチル、アセチルクエン酸トリブチル、安息香酸ベンジル、３-メトキシ-３-メチルブタノール、ヘキシレングリコール、プロピレングリコール、ブチロラクトン、ポリエチレングリコール、トリエチレングリコール、トリアセチン、ジエチレングリコールジエチルエーテル、セバシン酸、ジエチレングリコールジメチルエーテルまたはジプロピレングリコールジメチルエーテルである。
【００２４】
これらは、酸化剤である過酸化水素や触媒であるサリチル酸塩等の易溶解性、また蛍光物質を含有する蛍光液との相溶性に優れている。これらの溶媒は、少なくとも２種以上を混合して使用される。
なかでも酸化液が、クエン酸トリエチル、アセチルクエン酸トリブチルおよび安息香酸ベンジルから選ばれた少なくとも１種以上の溶媒（溶媒Ａ）と、３-メトキシ-３-メチルブタノール、ヘキシレングリコール、プロピレングリコール、ブチロラクトン、ポリエチレングリコール、トリエチレングリコール、トリアセチン、ジエチレングリコールジエチルエーテル、セバシン酸、ジエチレングリコールジメチルエーテルおよびジプロピレングリコールジメチルエーテルから選ばれた少なくとも１種以上の溶媒（溶媒Ｂ）との混合物であることが好ましい。
【００２５】
溶媒Ａとしては、特にクエン酸トリエチル、安息香酸ベンジルが好ましく、溶媒Ｂとしては、特に、トリアセチン、３-メトキシ-３-メチルブタノール、ヘキシレングリコールが好ましく使用される。
【００２６】
単独での使用は、従来使用されるエタノールやブタノール等の低級アルコールに比べ、酸化剤である過酸化水素や触媒であるサリチル酸塩等との相溶性、また蛍光物質を含有する蛍光液との相溶性と同等あるいは同等以上の酸化液とすることが難しい。
上記の溶媒の組み合わせにおいて、クエン酸トリエチル等の溶媒Ａは、酸化液の主溶媒であり、３-メトキシ-３-メチルブタノール、ヘキシレングリコール等の溶媒Ｂは、補助溶媒としての機能を有し、両者が相俟って発光性能の良い酸化液が構成される。
【００２７】
酸化液中の過酸化水素と溶媒（合計量）との量比は、使用する目的により適宜選択することができるが、通常、過酸化水素の濃度が０．５から１０重量％、好ましくは３から６重量％である。
【００２８】
なお、第１の液剤（酸化液）には、通常触媒成分として、例えば、サリチル酸リチウム、ｔ−ブチルサリチル酸リチウム、サリチル酸ナトリウム、サリチル酸テトラアルキルアンモニウム塩等のサリチル酸およびその誘導体を少量（通常０．００１から０．１重量％）含有することが望ましい。
【００２９】
次に、第２の液剤Ｌ２について説明する。第２の液剤Ｌ２は、シュウ酸エステル、蛍光物質および溶媒を含有したものである。
【００３０】
第２の液剤（蛍光液）として使用するシュウ酸エステル（オキサレート）としては、シュウ酸ハライド、シュウ酸エステル、シュウ酸オキサミド等のシュウ酸誘導体が使用でき、代表的なオキサレートとしては、例えば、ビス（２，４，５−トリクロロ−６−カルボブトキシフェニルオキザレート）、ビス（２，４，５−トリクロロ−６−カルボペントキシフェニルオキザレート）等が挙げられる。
【００３１】
蛍光物質としては、３００〜１２００ｎｍにスペクトル発光を有し、且つ、溶媒に少なくとも部分的に可溶な蛍光化合物であれば特に制限はない。これらの蛍光化合物としては、アントラセン、置換アントラセン、ベンゾアントラセン、フェナントレン、置換フェナントレン、ナフタセン、置換ナフタセン、ペンタセン、置換ペンタセン、ペリレン、置換ペリレン、ビオラントロン、置換ビオラントロンなどの縮合環を有する共役多環芳香族化合物が例示される。上記化合物の置換基としては、発光反応を妨げない限りにおいて特に制限はなく、フェニル基、低級アルキル基、クロロ基、ブロモ基、シアノ基、アルコキシ基、フェニルナフチル基などが例示される。
【００３２】
具体的な蛍光物質としては、２−クロロ-９，１０−ビス（４−メチルエチニル）アントラセン、９，１０−ビス（フェニルエチニル）アントラセン、１−メトキシ−９，１０−ビス（フェニルエチニル）アントラセン、ペリレン、１，５−ジクロロ−９，１０−ビス（フェニルエチニル）アントラセン、１，８−ジクロロ−９，１０−ビス（フェニルエチニル）アントラセン、モノクロロおよびジクロロ置換９，１０−ビス（フェニルエチニル）アントラセン、５，１２−ビス（フェニルエチニル）テトラセン、９，１０−ジフェニルアントラセン、１６，１７−ジヘキシルオキシビオラントロン、２−メチル−９，１０−ビス−（フェニルエチニル）アントラセン、９，１０−ビス−（４−メトキシフェニル）−２−クロロアントラセン、９，１０−ビス−（４−エトキシフェニル）−２−クロロアントラセン、５，１２−ビス−（フェニルエチニル）ナフタセン、５，６，１１，１２−テトラフェニルナフタセン（ルブレン）およびこれらの混合物が例示される。
【００３３】
これらの蛍光物質の製品としては、例えば、ルモゲン・レッド（ＬＵＭＯＧＥＮ  ＲＥＤ、赤色を発するペリレンジカルボキシイミド蛍光剤、ＢＡＳＦ社、商品名）、ルモゲン・イエロー（ＬＵＭＯＧＥＮ  ＹＥＬＬＯＷ、黄色を発するペリレンジカルボキシイミド蛍光剤、ＢＡＳＦ社、商品名）、ルモゲン・オレンジ（ＬＵＭＯＧＥＮ  ＯＲＡＮＧＥ、オレンジ色を発するペリレンジカルボキシイミド蛍光剤、ＢＡＳＦ社、商品名）が好適に使用される。
【００３４】
第２の液剤（蛍光液）において、溶媒としては、一般にアセチルクエン酸トリブチル（ＡＴＢＣ）、安息香酸ベンジル（ＢｅＢ）、ジプロピレングリコールジメチルエーテル（ＤＭＭ）等が単独であるいは混合して使用される。
なお、本発明では、フタル酸ジメチル、フタル酸ジブチル等のフタル酸エステル類を、酸化液の溶媒のみならず蛍光液の溶媒としても使用しない。
【００３５】
蛍光液における各成分の組成割合は、使用される目的に応じて任意に選択することが出来る。一般に、シュウ酸エステルと蛍光物質の量比（モル比）は、化学発光を生じるのに十分な量とされるが、好ましくは２０：１〜４０：１である。溶媒とシュウ酸エステルとの量比も使用する目的により適宜選択することができるが、通常、シュウ酸エステルの濃度が０．０１〜０．５モル／リットル、好ましくは０．０５〜０．３モル／リットルとなる量の溶媒を使用する。
【００３６】
なお、酸化液、蛍光液には、必要に応じ界面活性剤等の添加剤を加えることができる。また、酸化液、蛍光液は不織布、職布、ガラスやプラスチック等の被発光基材に担持させて用いることもできる。
【００３７】
次に、図１に示す化学発光具１０の製造方法を図２に基づいて説明する。図２（Ａ）に示すように、凸部５０が設けられていると共に、凸部５０の反対側が開放した外側容器２０に、内側容器３０と衝撃伝達部材４０との容積を考慮して、第２の液剤Ｌ２を所定量入れたものを準備する。次に、衝撃伝達部材４０を第２の液剤Ｌ２を入れた外側容器２０に入れた後に、第１の液剤Ｌ１を封入した内側容器３０を入れる。そして、図２（Ｂ）に示すように、外側容器２０の開口に蓋を熱溶着してシールする。そうすることで、外側容器２０内に第１の液剤Ｌ１を封入した内側容器３０と衝撃伝達部材４０とを配置することができると共に、第２の液剤Ｌ２を外側容器２０に封入することができる。
【００３８】
次に、本実施の形態１に係る化学発光具１０の使用方法について、図面に基づいて説明する。
図３（Ａ）に示すように、まず、凸部５０を下にして化学発光具１０を片手で把持する。外側容器２０に凸部５０が設けられていることにより、衝撃力を付与する位置を外観から確認できるので、化学発光具１０を把持する向きを容易に判別することができる。
【００３９】
次に、使用者は、凸部５０を勢いよく硬い物Ｋに当てる。硬い物Ｋは、使用者が部屋内にいるのであればテーブルや壁でもよいし、また使用者が道路上にいるのであればガードレールや道路面でもよい。
【００４０】
図３（Ｂ）に示すように、衝撃力が付与された凸部５０は、この衝撃により外側容器２０の端面を弾性変形させる。外側容器２０の端面が弾性変形することで、衝撃伝達部材４０に圧力が掛かる。衝撃伝達部材４０に外側容器２０の弾性変形による圧力が掛かることで、内側容器３０に圧力が伝達される。内側容器３０に瞬間的に大きな圧力が付与されることで、内側容器３０の端面に亀裂が生じる。特に、衝撃伝達部材４０と内側容器３０の端面とは接触面積が小さいため、衝撃伝達部材４０からの圧力は、内側容器３０の端面に集中的な圧力となる。この集中圧力が内側容器３０の端面に付与されることで、内側容器３０の端面には外側面から円錐状の破面が生じる。これは、ヘルツ破壊と称され、撓みよる引張り応力で内側面から亀裂が生じる事象と異なり、例えば、ピストルの弾をガラスに撃ち込んだときに発生するような破壊現象である。
【００４１】
内側容器３０がヘルツ破壊により破割することで、内側容器３０に封入された第１の液剤Ｌ１が流出して内側容器３０と外側容器２０との間の第２の液剤Ｌ２と混合する。第１の液剤Ｌ１と第２の液剤Ｌ２とが混合することで化学発光が始まる。
【００４２】
このように化学発光具１０は、ヘルツ破壊を利用して内側容器３０の外側面から破壊するため、内側容器３０を破割するために硬質樹脂製の外側容器２０を折り曲げる必要がないので、片手だけで化学発光具１０を把持して化学発光させることができる。従って、外側容器２０を折り曲げなくても外側容器２０の一部に衝撃力を付与するだけで内側容器３０を破割させることができ、２液を混合させることができるので、両手が使えない状況であっても、簡単な操作で、確実に化学発光させることができる。
また、外側容器を折り曲げなくてもよいため、外側容器の形状を様々な形状とすることができるので、外側容器と内側容器の内容量を多くすることで、長時間発光させたり、外側容器の形状について設計の自由度を広げたりすることができる。
【００４３】
（実施の形態２）
本実施の形態２に係る化学発光具を図４に基づいて説明する。なお、図４については、図１と同じ構成のものは同符号を付して説明を省略する。
図４に示す化学発光具１１の外側容器２１は、凸部５０が設けられている底面側から先端に向かうに従って断面が徐々に小さくなる切頭円錐形状に形成されている。
外側容器２１の内側面には、衝撃伝達部材４０の移動を規制するための凹部２１ａが設けられている。この凹部２１ａは外側容器２１の内側面の凸部５０が設けられている側に設けられている。また、衝撃伝達部材４０が凹部２１ａ内に配置されている。
【００４４】
このように外側容器２１が切頭円錐形状で、底面側が幅広に形成されていることで、化学発光具１１を移動させるときの振動や揺動などにより衝撃伝達部材４０が外側容器２１の内側面に沿って外側容器２１の幅方向に移動しやすい状態にあっても、凹部２１ａにより衝撃伝達部材４０の移動が規制されるため、衝撃伝達部材４０が内部容器３０の端面から外れてしまうことを防止することができる。従って、外側容器２１内における内側容器３０と衝撃伝達部材４０との位置関係を維持することができるため、衝撃伝達部材４０を外側容器２１の内側面と内側容器３０の外側面とに接した状態、または近接した状態に維持することができる。
【００４５】
外側容器２１を切頭円錐形状に形成して、外側容器２１が折り曲げにくい形状であっても、衝撃伝達部材４０を介して外側容器２１に付与された衝撃力を内側容器３０へ伝達させ、内側容器３０をヘルツ破壊することで、２液（第１の液剤，第２の液剤）を混合させることができるため、確実に２液を混合させることができる。
【００４６】
なお、凹部２１ａは、衝撃伝達部材４０が接する面が、円弧面に形成されているが、内側容器３０の端面から外れないのであれば平面でもよいし、Ｖ字状の傾斜面でもよい。
【００４７】
（実施の形態３）
本実施の形態３に係る化学発光具を図５に基づいて説明する。なお、図５については、図１および図４と同じ構成のものは同符号を付して説明を省略する。
図５に示す化学発光具１２の外側容器２２は、凸部５０が設けられている底面側から先端に向かうに従って断面が徐々に大きくなる切頭円錐形状に形成されている。
外側容器２２を底面側から先端に向けて断面が徐々に大きくなるような切頭円錐形状に形成することで、外側容器２２が折り曲げにくい形状であっても、衝撃伝達部材４０を介して外側容器２１に付与された衝撃力を内側容器３０へ伝達させ、内側容器３０をヘルツ破壊することで、２液（第１の液剤，第２の液剤）を混合させることができるため、確実に２液を混合させることができる。
【００４８】
（実施の形態４）
本実施の形態４に係る化学発光具を図６に基づいて説明する。なお、図６については、図１および図４と同じ構成のものは同符号を付して説明を省略する。
図６に示す化学発光具１３は、外側容器２３が軸線方向の長さより幅方向の長さの方が短い略円盤状に形成されている。従って、内側容器３１は、実施の形態１〜３の内側容器３０と比較して軸線方向が短く、直径が太い以外は、内側容器３１を構成する材質や第１の液剤を封入している点など内側容器３０と同じである。
【００４９】
外側容器２３が厚みのある略円盤状に形成されていることで、更に外側容器２３を折り曲げて内側容器３１を破割させることは難しくなっている。しかし、衝撃伝達部材４０を介して外側容器２３に付与された衝撃力を内側容器３０へ伝達させ、内側容器３０をヘルツ破壊することで、２液（第１の液剤，第２の液剤）を混合させることができるため、確実に２液を混合させることができる。
なお、本実施の形態４では外側容器２３が円盤状に形成されているが、平面視して多角形状にした板状としてもよい。また、外側容器２３の内側面に、図４に示す実施の形態１に係る化学発光具１のように凹部２１ａを設けてもよい。
【００５０】
（実施の形態５）
本実施の形態５に係る化学発光具を図７に基づいて説明する。なお、図７については、図１および図４と同じ構成のものは同符号を付して説明を省略する。
図７に示す化学発光具１４は、外側容器２４の胴部に伸縮部２４ａが設けられている。この伸縮部２４ａは、蛇腹構造に形成されている。
【００５１】
内側容器３０をヘルツ破壊するには、衝撃伝達部材４０を外側容器２１の内側面と内側容器３０の外側面とのそれぞれに接した状態、または近接した状態に維持することが重要である。しかし、外側容器を成形する際の製造上の誤差により外側容器が長くなってしまう可能性がある。そうすると、衝撃伝達部材４０と外側容器の内側面と間、または衝撃伝達部材４０と内側容器３０の外側面との間に隙間が生じて、外側容器からの衝撃力が内側容器３０に伝達できないおそれがある。
【００５２】
外側容器２４の胴部に伸縮部２４ａを設けることで、外側容器２４を成形するときに外側容器２４の長さに多少の誤差が生じても、伸縮部２４ａが伸長することにより、外側容器２４の収納方向の奥行きの許容範囲が広がるので、外側容器２４に内側容器３０および衝撃伝達部材４０を収納させることができる。
【００５３】
（実施の形態６）
本実施の形態６に係る化学発光具を図８に基づいて説明する。なお、図８については、図１および図４と同じ構成のものは同符号を付して説明を省略する。
図８に示す化学発光具１５は、外側容器２５の端面２５ａ（凸部５０が設けられている側とは反対側の端面）が外側に向く凹状に形成され、内側面に凹部２５ｂが設けられている。この凹部２５ｂは円形状の壁面により形成されたものである。
【００５４】
外側容器２５の端面２５ａが外側に向く凹状に形成されていることで、外側容器２５を成形するときに外側容器２５の長さに多少の誤差が生じても、外側容器２５の凹状の端面２５ａが付勢力により内側容器３０の端面を押圧する。従って、衝撃伝達部材４０と外側容器２５の内側面と間、または衝撃伝達部材４０と内側容器３０の外側面との間の隙間を無くすことができるので、外側容器２５からの衝撃力を確実に衝撃伝達部材４０を介して内側容器３０に伝達することができる。
【００５５】
また、外側容器２５の凹状の端面２５ａの付勢力により内部容器３０が、端面２５ａからずれやすくなってしまうが、端面２５ａの内側面には凹部２５ｂが設けられているため、内側容器３０の移動が規制される。従って、外側容器２５内における内側容器３０と衝撃伝達部材４０との位置関係を維持することができるため、衝撃伝達部材４０を外側容器２５の内側面と内側容器３０の外側面とに接した状態に維持することができる。
【００５６】
本実施の形態６では、この凹部２５ｂが円形状の壁面により形成されているが、図４に示すような円弧面により形成された凹部２１ａとしてもよい。
【００５７】
（実施の形態７）
本実施の形態７に係る化学発光具を図９に基づいて説明する。なお、図９については、図１，図４および図８と同じ構成のものは同符号を付して説明を省略する。
図９に示す化学発光具１６は、外側容器２６の端面２６ａ（凸部５０が設けられている側の端面）が外側に向く凹状に形成され、内側面に凹部２５ｂが設けられている。
また、凸部５１からの衝撃力を伝達する外側容器２６の端面２６ａが凹状に形成され、窪んでいるため、凸部５１は窪みから外側に突出する程度の厚みを有している。
このように外側容器２６が形成されていることで、実施の形態６と同様の効果を得ることができる。
つまり、外側容器のいずれか一方の端面に外側に向く凹部を設け、内側容器３０または衝撃伝達部材４０を押圧することで、外側容器に内側容器３０および衝撃伝達部材４０を密着させた状態とすることができる。
【００５８】
（実施の形態８）
本実施の形態８に係る化学発光具を図１０に基づいて説明する。なお、図１０については、図１と同じ構成のものは同符号を付して説明を省略する。
図１０に示す化学発光具１６は、内側容器３２の端面（衝撃伝達部材４０と接する側の端面）に凹部３２ａが設けられている。
凹部３２ａが内側容器３２に設けられていることにより、化学発光具１６を移動させるときの振動や揺動などにより衝撃伝達部材４０が外側容器２０の内側面に沿って外側容器２０の幅方向に移動しようとしても、凹部３２ａにより衝撃伝達部材４０の移動が規制されるため、衝撃伝達部材４０が内部容器３２の端面から外れてしまうことを防止することができる。また、内側容器３２も衝撃伝達部材４０と接する面積が幅広くなっているので、ずれ難い。
【００５９】
従って、外側容器２０内における内側容器３２と衝撃伝達部材４０との位置関係を維持することができるため、衝撃伝達部材４０を外側容器２０の内側面と内側容器３２の外側面とに接した状態に維持することができる。
【００６０】
（実施の形態９）
本実施の形態９に係る化学発光具を図１１に基づいて説明する。なお、図１１については、図１と同じ構成のものは同符号を付して説明を省略する。
図１１に示す化学発光具１７は、内側容器３３を蓋付き容器としている。
内側容器３３は、第１液剤Ｌ１が充填される開口部にねじ溝が形成されたガラス容器３３ａと、ねじ溝に螺合するねじ山が形成され、開口を閉鎖する蓋部３３ｂとから形成されている。そうすることで、内側容器３３として市販品のバイアル瓶などのねじ口付瓶をそのまま使用できるので、第１の液剤を充填した内側容器の熱封入工程を省略することができる。
【００６１】
以上、本発明の実施の形態に係る化学発光具を説明したが、本発明は前記実施の形態に限定されるものではない。例えば、衝撃伝達部材のずれを規制する凹部２１ａ、内側容器のずれを規制する凹部２５ｂや凹部３２ａ、外側容器２４の製造許容度を広げる伸縮部２４ａ、内側容器や衝撃伝達部材を押圧する凹状に形成された端面２５ａ，２６ｂは、実施の形態１〜９に係る化学発光具１０〜１７に対してそれぞれに適用することが可能である。
また、本実施の形態では、酸化液を第１の液剤Ｌ１、蛍光液を第２の液剤Ｌ２として説明しているが、蛍光液を第１の液剤Ｌ１、酸化液を第２の液剤Ｌ２としてもよい。
【産業上の利用可能性】
【００６２】
本発明に係る化学発光具は、折り曲げる必要がなく、自由な形状とすることができるため、コンサートやお祭りの玩具、非常灯、また釣具として広く用いることができる。
【符号の説明】
【００６３】
１０〜１７  化学発光具
２０〜２６  外側容器
２１ａ  凹部
２４ａ  伸縮部
２５ａ  端面
２５ｂ  凹部
３０〜３３  内側容器
４０  衝撃伝達部材
５０，５１  凸部
【図１】
2013030435.tif 000003
【図２】
2013030435.tif 000004
【図３】
2013030435.tif 000005
【図４】
2013030435.tif 000006
【図５】
2013030435.tif 000007
【図６】
2013030435.tif 000008
【図７】
2013030435.tif 000009
【図８】
2013030435.tif 000010
【図９】
2013030435.tif 000011
【図１０】
2013030435.tif 000012
【図１１】
2013030435.tif 000013